(57)【要約】【課題】表示画面に表示した二次元コードを天板上から読み取る際に、コンロバーナからの熱の影響を低減することができるガスコンロを提供する。【解決手段】天板２の一部に表示画面９を設ける。表示画面９に二次元コードを表示させる表示制御手段２０を設ける。コンロバーナ３の火力は燃焼制御手段１９によって制御される。コンロバーナ３が所定レベルを超える火力で燃焼中に表示制御手段２０が表示画面９に二次元コードを表示させたとき、燃焼制御手段１９は、表示画面９に二次元コードが表示されている間、コンロバーナ３を所定レベル以下の火力で燃焼させる。【選択図】図２
2015098958.tif 000002
【特許請求の範囲】
【請求項１】
天板上に火炎を形成して被調理物を加熱するコンロバーナと、該コンロバーナの燃焼を制御する燃焼制御手段とを備えるガスコンロにおいて、
前記天板の一部に設けられて各種情報を表示する表示画面と、該表示画面に光学読み取り用の二次元コードを表示させる表示制御手段とを備え、
前記コンロバーナが所定レベルを超える火力で燃焼中に前記表示制御手段が前記表示画面に二次元コードを表示させたとき、前記燃焼制御手段は、前記表示画面に二次元コードが表示されている間、前記コンロバーナを所定レベル以下の火力で燃焼させることを特徴とするガスコンロ。
【請求項２】
前記コンロバーナが燃焼を停止している状態で、前記表示制御手段が前記表示画面に二次元コードを表示させたとき、前記燃焼制御手段は、前記表示画面に二次元コードが表示されている間、前記コンロバーナの燃焼を禁止することを特徴とする請求項１記載のガスコンロ。
【請求項３】
前記表示制御手段は、前記表示画面への二次元コードの表示を開始させてから所定時間が経過したとき、前記表示画面への二次元コードの表示を終了させることを特徴とする請求項１又は２記載のガスコンロ。
【発明の詳細な説明】
【技術分野】
【０００１】
本発明は、天板の一部に表示画面を備えるガスコンロに関する。
【背景技術】
【０００２】
従来、コンロバーナが露出する天板の一部に表示画面を設けたガスコンロが知られている（例えば特許文献１参照）。天板の一部に表示画面を設けることにより、使用者は調理中に姿勢を変えることなく各種情報が確認でき、使い勝手がよい。
【０００３】
ところで、近年では、携帯電話機やスマートフォン等の携帯端末が備える光学読取装置でＱＲコード（株式会社デンソーウェーブの登録商標）等の二次元コードを読み取り、インターネットを介してウェブサイトから各種情報を入手することが行われている（例えば特許文献２参照）。
【０００４】
そこで、ガスコンロにおいても、天板に設けた表示画面にＱＲコード等の二次元コードを表示させ、携帯電話機やスマートフォン等の携帯端末を用いてガスコンロの操作方法や各種設定方法を参照できるようにすることが考えられる。
【０００５】
表示画面が天板の一部に設けられていることで、天板上に携帯電話機やスマートフォン等の携帯端末をかざして二次元コードを読み取り易い。また、コンロバーナによる調理中に使用者がガスコンロの近傍から離れることなく迅速にガスコンロに関する操作方法や各種設定方法等の情報を入手できる。
【先行技術文献】
【特許文献】
【０００６】
【特許文献１】特開２０１１−２５７１３６号公報
【特許文献２】特開２０１２−２５１７２３号公報
【発明の概要】
【発明が解決しようとする課題】
【０００７】
しかし、ガスコンロにおいては、天板上にコンロバーナの火炎が形成される。このため、天板に設けた表示画面の近傍に比較的大きな火炎が形成されると、二次元コードを携帯端末で読み取るとき、表示画面に近づけた携帯端末が加熱されたり、使用者が携帯端末を持つ手指に熱さを感じ、二次元コードの読み取りに支障を来すおそれがある。
【０００８】
上記の点に鑑み、本発明は、表示画面に表示した二次元コードを天板上から読み取る際に、コンロバーナからの熱の影響を低減することができるガスコンロを提供することを目的とする。
【課題を解決するための手段】
【０００９】
かかる目的を達成するため、本発明は、天板上に火炎を形成して被調理物を加熱するコンロバーナと、該コンロバーナの燃焼を制御する燃焼制御手段とを備えるガスコンロにおいて、前記天板の一部に設けられて各種情報を表示する表示画面と、該表示画面に光学読み取り用の二次元コードを表示させる表示制御手段とを備え、前記コンロバーナが所定レベルを超える火力で燃焼中に前記表示制御手段が前記表示画面に二次元コードを表示させたとき、前記燃焼制御手段は、前記表示画面に二次元コードが表示されている間、前記コンロバーナを所定レベル以下の火力で燃焼させることを特徴とする。
【００１０】
本発明によれば、コンロバーナの燃焼中に二次元コードが表示画面に表示されているときには、前記燃焼制御手段の制御によってコンロバーナの火力が所定レベル以下に抑えられて比較的小さくなる。従って、表示画面に表示した二次元コードを天板上から読み取る際に、二次元コードを読み取るために携帯電話機やスマートフォン等の携帯端末を天板に近づけても、コンロバーナから受ける熱の影響を低減して、二次元コードの読み取り操作を支障なく行うことができる。
【００１１】
本発明において前記所定レベルとしたコンロバーナの火力は、例えば、天板上でのコンロバーナと表示画面との距離、或いは、コンロバーナの能力に応じて予め定められるものであり、燃焼中のコンロバーナから表示画面に向かう熱が小となって、表示画面に近づけた携帯端末や使用者の手指に対する熱の影響が殆ど生じない火力を前記所定レベルとする。
【００１２】
具体的には、例えば、コンロバーナが、その火力を「強火」「中火」「弱火」「とろ火」の順で小さくなる４段階で調節可能である場合、コンロバーナの火力が「弱火」のときに表示画面方向への熱の影響が少なければ、所定レベルの火力を「弱火」と定める。そして、コンロバーナが「中火」又は「強火」で燃焼中に二次元コードが表示画面に表示されたとき、前記燃焼制御手段はコンロバーナの火力を「弱火」又は「とろ火」に変更する。こうすることにより、表示画面に近づけた携帯端末が加熱されたり、使用者が携帯端末を持つ手指に熱さを感じるといった事態を可及的に回避することができる。
【００１３】
また、本発明においては、前記コンロバーナが燃焼を停止している状態で、前記表示制御手段が前記表示画面に二次元コードを表示させたとき、前記燃焼制御手段は、前記表示画面に二次元コードが表示されている間、前記コンロバーナの燃焼を禁止することを特徴とする。
【００１４】
これによれば、例えば、コンロバーナを使用する調理が行われていない状態（コンロバーナが燃焼を停止している状態）で、前記表示画面に二次元コードが表示されているときには、使用者がコンロバーナを使用して調理を開始しようとしても、前記燃焼制御手段の制御によりコンロバーナは燃焼停止状態を維持する。従って、使用者や携帯端末はコンロバーナの火炎からの熱を全く受けることなく、表示画面に表示されている二次元コードの読み取り操作を行うことができる。
【００１５】
ところで、前記燃焼制御手段の制御によると、所定レベルを超える火力でコンロバーナを燃焼させて調理を行っているとき、この火力が使用者の所望するものであっても、表示画面への二次元コードの表示に応じてコンロバーナの火力が所定レベル以下となる。このため、使用者が二次元コードの読み取り操作を終了したにもかかわらずコンロバーナの火力を所定レベル以下に維持すると、調理失敗等を招くおそれがある。
【００１６】
そこで、本発明の前記表示制御手段においては、前記表示画面への二次元コードの表示を開始させてから所定時間が経過したとき、前記表示画面への二次元コードの表示を終了させることが好ましい。
【００１７】
前記所定時間とは、例えば、使用者が行う二次元コードの読み取り操作の所要時間に基づいて予め設定された時間である。これによれば、使用者の所望によって、所定レベルを超える火力でコンロバーナを燃焼させて調理を行っているときに、表示画面への二次元コードの表示に応じてコンロバーナの火力が所定レベル以下となっても、使用者による二次元コードの読み取り操作が終了した後に速やかに使用者が所望する元の火力に戻り、調理失敗等を防止することができる。
【図面の簡単な説明】
【００１８】
【図１】本発明の実施形態のガスコンロの説明的平面図。
【図２】本発明の実施形態のガスコンロの要部の構成を模式的に示す図。
【発明を実施するための形態】
【００１９】
本発明の一実施形態を図面に基づいて説明する。本実施形態のガスコンロ１は、図１に示すように、ガラス製の天板２上に露出する３つのコンロバーナ（第１コンロバーナ３、第２コンロバーナ４、第３コンロバーナ５）を備えている。このうちの第１コンロバーナ３と第２コンロバーナ４とは互いに間隙を存して左右方向に並んで設けられており、第３コンロバーナ５は、第１コンロバーナ３と第２コンロバーナ４との間の間隙の後方側に配設されている。各コンロバーナ３，４，５は、その周囲に五徳６が設けられている。
【００２０】
また、図２に示すように、ガスコンロ１は、その運転を制御するコントローラ７を備えている。なお、３つのコンロバーナ３，４，５は加熱能力等が異なる以外に構成が同一であるため、図２においては第１コンロバーナ３のみを示し、第２及び第３コンロバーナ４，５については図示を省略している。以下の説明において単にコンロバーナ３と言う場合には、３つのコンロバーナ３，４，５の夫々に共通であるものとする。
【００２１】
コントローラ７には、使用者が操作することによりコントローラ７に対して所望の指示や各種設定を行う操作パネル８と、各種の情報を表示する表示画面９とが接続されている。
【００２２】
コンロバーナ３は、押し操作と回転操作が可能な点火・消火ボタン１０により点火操作、火力調節、及び消火操作が行われる。即ち、点火・消火ボタン１０を押し操作することにより、コンロバーナ３が点火し又は消火する。また、点火・消火ボタン１０を回転操作することにより、コンロバーナ３の火力の調節（コンロバーナ３への燃料ガスの供給流量の調節）を行うことができるようになっている。なお、本実施形態のコンロバーナ３においては、その火力レベルが９段階（最小火力レベル「１」〜最大火力レベル「９」）に調節可能となっている。
【００２３】
コンロバーナ３にはガス供給管１１を介して燃料ガスが供給される。ガス供給管１１には元電磁弁１２と流量調節弁１３とが設けられている。元電磁弁１２によってガス供給管１１が開閉され、流量調節弁１３によってガス供給管１１を流通する燃料ガスの流量が調節される。
【００２４】
また、コンロバーナ３の近傍には、コンロバーナ３に点火するための点火電極１４と、コンロバーナ３の燃焼状態を検出する熱電対１５とが設けられている。
【００２５】
操作パネル８は、ガスコンロ１の使用者が、コンロバーナ３を用いた自動調理等に関する設定を行うためのものである。
【００２６】
コンロバーナ３の中心部には鍋底温度センサ１６が設けられている。鍋底温度センサ１６は、被調理物を収容した鍋１７が五徳６に載置されたときに鍋１７の底部に当接し、コンロバーナ３の火炎により加熱される鍋１７の底部の温度を検出する。
【００２７】
コントローラ７は、図２に示すように、ＣＰＵ等を備える電子回路ユニットであり、メモリ１８に保持されたガスコンロ１の制御用プログラムを実行することによって、ガスコンロ１の作動を制御する。
【００２８】
コントローラ７は、その機能として、燃焼制御部１９（燃焼制御手段）と、表示制御部２０（表示制御手段）とを有している。コントローラ７には、コンロバーナ３の点火・消火ボタン１０の操作信号、操作パネル８の操作信号、鍋底温度センサ１６の検出温度を示す信号、及び熱電対１５の炎検出を示す信号等が入力される。また、コントローラ７の各機能が出力する制御信号によって、ガス供給管１１の元電磁弁１２、流量調節弁１３、点火電極１４、表示画面９等の作動が制御される。
【００２９】
流量調節弁１３は、比例弁又は流量切換弁が採用され、ステッピングモータ２１により駆動される図示しない弁体によりガス供給管１１のガス流量を変更する電動弁である。コントローラ７の燃焼制御部１９は、ステッピングモータ２１を介して流量調節弁１３の開度を変更することにより、コンロバーナ３の火力レベルを切換える。
【００３０】
表示画面９は、ドットマトリクス方式の液晶ディスプレイ（ＬＣＤ）であり、ガラス製の天板２の透明部分の裏面側に熱対策が施されて設置されている。そして、表示画面９の一部には、ＱＲコード２２（二次元コード）を表示させることができるようになっている。本実施形態では表示画面９としてドットマトリクス方式の液晶ディスプレイを採用しているが、これ以外に採用可能なドットマトリクス方式の表示画面として、有機エレクトロルミネッセンス（有機ＥＬ）、発光ダイオード（ＬＥＤ）表示装置、蛍光表示管（ＶＦＤ）、及びプラズマ表示装置等を挙げることができる。
【００３１】
表示制御部２０は、操作パネル８の操作による各種設定情報やコンロバーナ３による調理に関する情報等を表示画面９に表示させる。更に、表示制御部２０は、操作パネル８の操作によって使用者からＱＲコード２２の表示が指示されたとき、そのＱＲコード２２を、当該ＱＲコード２２によって得られる情報等を示す文字列からなる情報項目２３と共に表示画面９に表示する。なお、情報項目２３としては、図２に示す「レシピをさがす」の他、図示しないが、「取扱説明書」、「ＦＡＱ」、「部品・オプション品購入」、「サービスセンター情報」等が挙げられる。
【００３２】
また、表示制御部２０は、表示画面９にＱＲコード２２の表示を開始させると同時に、コントローラ７が備えるタイマ２４により計時を開始する。そして、所定時間（例えば３０秒）が経過するとタイマ２４がタイムアップして表示画面９へのＱＲコード２２の表示を終了させる。
【００３３】
なお、前記所定時間は、使用者が行うＱＲコード２２の読み取り操作の所要時間に基づいて予め設定されるものであり、本実施形態においては、操作パネル８の操作により使用者が所望する時間に設定することが可能となっている。
【００３４】
ＱＲコード２２には、ウェブサーバのアドレスを示すデータが記録されており、図１に示す携帯端末２５を用いて読み取ることで、インターネットを介して情報を入手することができる。携帯端末２５として採用できるものは、スマートフォン、携帯電話機、ＰＤＡ、タブレットコンピュータ等が挙げられる。携帯端末２５には、ウェブブラウザ及びＱＲコード読み取りアプリケーション（ソフトウェア）がインストールされ、デジタルカメラ等の光学読取装置及びディスプレイ装置を備えている。
【００３５】
次に、本発明の要旨にかかる本実施形態のガスコンロ１の作動を説明する。図１及び図２を参照して、先ず、使用者の操作により点火・消火ボタン１０が押されると、燃焼制御部１９は流量調節弁１３を作動させてコンロバーナ３の火力を「中火」に相当する火力レベル「５」に設定してコンロバーナ３に点火する。このとき、コンロバーナ３の火力を火力レベル「５」に設定することにより、点火が円滑に行える十分な燃料ガスが供給され、点火失敗を防止することができる。
【００３６】
その後、調理内容に応じて使用者が点火・消火ボタン１０を回転操作する。これにより、使用者が所望する火力によってコンロバーナ３が燃焼する。そして調理終了等により、使用者の操作により点火・消火ボタン１０が押されると、燃焼制御部１９は元電磁弁１２を閉弁して燃料ガスの供給が停止し、コンロバーナ３が消火する。
【００３７】
一方、操作パネル８の操作によって使用者からＱＲコード２２の表示が指示されたときは、コンロバーナ３の燃焼の有無にかかわらず、表示制御部２０は、表示画面９にＱＲコード２２の表示を行う。
【００３８】
燃焼制御部１９は、コンロバーナ３が火力レベル「３」を超えて（本発明における所定レベルを超える火力に相当する）燃焼している最中に、表示制御部２０を介してＱＲコード２２の表示開始を検出すると、流量調節弁１３を作動させてコンロバーナ３の火力を「弱火」に相当する火力レベル「３」に低下させる。なお、本発明においてＱＲコード２２の表示に応じて燃焼制御部１９が低下させる火力（所定レベルの火力）は、天板２上でのコンロバーナ３と表示画面９との距離、或いは、コンロバーナ３の能力に応じて予め定められ、表示画面９に近づけた携帯端末２５や携帯端末２５を持つ使用者の手指に対して熱の影響を与えるおそれのないレベルであればよい。よって、本実施形態においては火力レベルを「３」としたが、これに限定されるものではない。
【００３９】
これにより、表示画面９に表示されたＱＲコード２２を携帯端末２５で読み取る際に、表示画面９に近づけた携帯端末２５が加熱されたり、使用者が携帯端末２５を持つ手指に熱さを感じるといった事態を可及的に回避することができる。
【００４０】
そして、表示制御部２０は、タイマ２４の計時により所定時間（例えば３０秒）が経過すると、表示画面９へのＱＲコード２２の表示を終了させる。このとき、燃焼制御部１９は、表示制御部２０を介してＱＲコード２２の表示終了を検出し、コンロバーナ３の火力を表示画面９にＱＲコード２２が表示される直前のレベルに戻す。
【００４１】
また、燃焼制御部１９は、３つのコンロバーナ３，４，５の何れも燃焼していないときに、表示制御部２０を介してＱＲコード２２の表示開始を検出すると、３つのコンロバーナ３，４，５の燃焼を禁止する。従って、表示画面９にＱＲコード２２が表示されているときには、使用者の操作により点火・消火ボタン１０が押されても、燃焼制御部１９は元電磁弁１２の閉弁を維持して点火処理を行わない。
【００４２】
これにより、使用者や携帯端末２５はコンロバーナ３の火炎からの熱を全く受けることなく、表示画面９に表示されているＱＲコード２２の読み取り操作を行うことができる。
【００４３】
そして、表示制御部２０がタイマ２４の計時により表示画面９へのＱＲコード２２の表示を終了させると、燃焼制御部１９は、表示制御部２０を介してＱＲコード２２の表示終了を検出し、３つのコンロバーナ３，４，５の燃焼禁止を解除する。
【００４４】
なお、本実施形態においては、表示画面９へのＱＲコード２２の表示に応じた燃焼制御部１９の制御を３つのコンロバーナ３，４，５に何れにも適用した例を示したがこれに限るものではない。例えば、第３コンロバーナ５の加熱能力が比較的小さく、第３コンロバーナ５が最大火力で燃焼していても第３コンロバーナ５の火炎と表示画面９との間に熱の影響が少ない十分な距離が確保されている場合は、表示画面９へのＱＲコード２２の表示に応じた燃焼制御部１９の制御を、第１コンロバーナ３及び第２コンロバーナ４のみに適用して同様の効果を得ることができる。
【符号の説明】
【００４５】
１…ガスコンロ、２…天板、３…コンロバーナ、９…表示画面、１９…燃焼制御部（燃焼制御手段）、２０…表示制御部（表示制御手段）、２２…ＱＲコード（二次元コード）。
【図１】
2015098958.tif 000003
【図２】
2015098958.tif 000004